(57)【要約】【課題】  イベント予約とそのイベント参加のための駐車場予約とを一括で実行するサイトやアプリケーションソフトを提供する。【解決手段】  イベント予約データを受信するイベント予約受信手段と、そのイベント予約データに含まれる場所および入出庫の予測時刻を用いて駐車場を検索する検索手段と、その検索手段が抽出した適合物件を送信する適合物件送信手段と、駐車場の予約データを受信したらその予約データを駐車場データベースへ送信する駐車場データベースアクセス手段と、を備える。【選択図】  図５
2018077655.tif 000002
【特許請求の範囲】
【請求項１】
イベントの参加予約およびそのイベント参加の際に用いる乗用車の駐車場の予約をシームレスに実行するためのイベント予約総合サーバであって、
当該イベントの開催場所に関わる駐車場における満空情報などの管理情報を蓄積する駐車場データベースへアクセス可能な駐車場ＤＢアクセス手段と、
イベントへの予約データをイベント参加希望者に係る端末から受信するイベント予約受信手段と、
その予約データが特定する日時および場所に適した駐車場を検索するための駐車場検索用データを抽出し、その駐車場検索用データに適合する駐車場を前記の駐車場データベースから抽出する検索手段と、
その検索手段が抽出した駐車場に関する適合物件データを前記のイベント参加希望者に係る端末へ送信する適合物件送信手段と、
その適合物件データを受信した端末から駐車場予約データを受信する駐車場予約データ受信手段と、
を備え、
前記の駐車場ＤＢアクセス手段は、前記の駐車場予約データ受信手段が受信した駐車場予約データを駐車場データベースへ書き加えることとしたイベント予約総合サーバ。
【請求項２】
前記の検索手段は、前記のイベント予約データにおける参加人数から必要な駐車台数を推定算出することとした
請求項１に記載のイベント予約総合サーバ。
【請求項３】
前記の適合物件送信手段は、適合物件が複数存在する場合には、その複数の適合物件を所定の基準にて並べて出力するソート手段を含むこととした
請求項１または請求項２のいずれかに記載のイベント予約総合サーバ。
【請求項４】
イベントに関係するサービスまたは商品に関する複数の広告データを予め蓄積する広告データベースと、
その広告データベースに蓄積された広告データの中から駐車場予約データを用いて最適な広告データを抽出する最適広告抽出手段と、
その最適広告抽出手段が抽出した広告データを前記の端末へ送信する広告データ出力手段と、
を備えた請求項１から請求項３のいずれかに記載のイベント予約総合サーバ。
【請求項５】
イベントの参加予約およびそのイベント参加の際に用いる乗用車の駐車場の予約をシームレスに実行するためのイベント予約総合サーバを制御するコンピュータプログラムであって、
イベントへの予約データをイベント参加希望者に係る端末から受信するイベント予約受信手順と、
そのイベント予約受信手順にて受信した予約データが特定する日時および場所に適した駐車場を検索するための駐車場検索用データを抽出し、その駐車場検索用データに適合する駐車場を前記の駐車場データベースから抽出する検索手順と、
その検索手順にて抽出した駐車場に関する適合物件データを前記のイベント参加希望者に係る端末へ送信する適合物件送信手順と、
その適合物件データを受信した端末から駐車場予約データを受信する駐車場予約データ受信手順と、
その駐車場予約データ受信手順にて受信した駐車場予約データを駐車場データベースへ書き加える駐車データ書き換え手順と、
をイベント予約総合サーバに実行させることとしたコンピュータプログラム。
【請求項６】
前記の検索手順には、前記のイベント予約データにおける参加人数から必要な駐車台数を推定算出する手順を含むこととした請求項５に記載のコンピュータプログラム。
【請求項７】
前記の適合物件送信手順には、適合物件が複数存在する場合には、その複数の適合物件を所定の基準にて並べて出力するソート手順を含むこととした
請求項５または請求項６のいずれかに記載のコンピュータプログラム。
【請求項８】
前記のイベント予約総合サーバには、イベントに関係するサービスまたは商品に関する複数の広告データを予め蓄積する広告データベースを備えており、
その広告データベースに蓄積された広告データの中から駐車場予約データを用いて最適な広告データを抽出する最適広告抽出手順と、
その最適広告抽出手順にて抽出した広告データを前記の端末へ送信する広告データ出力手順と、
をイベント予約総合サーバに実行させることとした請求項５から請求項７のいずれかに記載のコンピュータプログラム。
【請求項９】
イベントの参加予約およびそのイベント参加の際に用いる乗用車の駐車場の予約をシームレスに実行するためのイベント予約総合サーバと通信する通信端末であって、
イベントの参加意思および人数を含んだイベント予約データを前記のイベント予約総合サーバへ送信するイベント予約データ送信手段と、
そのイベント予約データ送信手段にて送信する際に用いたイベント予約データに係るイベントから推測される入庫予定時刻および出庫予定時刻を自動入力するとともに、その入庫予定時刻および出庫予定時刻の修正が可能な入出予定時刻入力手段と、
その入出予定時刻入力手段にて特定された入庫予定時刻および出庫予定時刻を用いて駐車場を検索または予約する駐車場予約データ送信手段と、
を備えた通信端末。
【請求項１０】
イベントの参加予約およびそのイベント参加の際に用いる乗用車の駐車場の予約をシームレスに実行するためのイベント予約総合サーバと通信する通信端末を制御するコンピュータプログラムであって、
イベントの参加意思および人数を含んだイベント予約データを前記のイベント予約総合サーバへ送信するイベント予約データ送信手順と、
そのイベント予約データ送信手順にて送信する際に用いたイベント予約データに係るイベントから推測される入庫予定時刻および出庫予定時刻を自動入力するとともに、その入庫予定時刻および出庫予定時刻の修正が可能な入出予定時刻入力手順と、
その入出予定時刻入力手順にて特定された入庫予定時刻および出庫予定時刻を用いて駐車場を検索または予約する駐車場予約データ送信手順と、
を前記の通信端末に実行させることとしたコンピュータプログラム。
【発明の詳細な説明】
【技術分野】
【０００１】
本発明は、駐車場を必要とするイベント主催者と、そのイベントへ乗用車にて参加する参加者との間で、イベントおよび駐車場の予約を円滑に実行するための情報処理技術に関する。
【背景技術】
【０００２】
（イベント開催と駐車場の関係）
定常的なビジネスが営まれている、たとえばショッピングセンターであれば、買い物客のために駐車場が確保されている。その駐車場を、そのショッピングセンターが管理運営する場合もあるが、駐車場管理の専門組織が管理運営する場合もある。
一方、不定期に開催されるイベント、たとえば野外コンサート、お祭り、花火大会、新規マンションの見学会、大学のオープンキャンパスや学園祭、ショッピングモールなどの商業施設によるバーゲンセールなどにおいては、そのイベントへ参加を希望する人のために臨時駐車場を確保できる場合は多くない。
【０００３】
図１には、野外コンサートのチケット販売において、イベント参加予約サーバを用意して、チケットの予約を受け付ける場合を示している。（実線は有線接続、二点破線は無線接続を示す）。
この場合、イベントチケットの予約を完了したユーザに対しては、「公共交通機関の利用」を呼びかけることとなる（図１中の吹き出し）。また、臨時バスの発着所を確保したりするなどの対応をする場合もある。
【０００４】
（土地の有効活用と空き時間活用駐車場）
土地のオーナーが駐車場を運営する場合、不特定多数の利用者から駐車場としての利用料金を徴収するためには、路面を舗装し、精算機やゲートを設置することが一般的である。
一方、精算機やゲートを設置することなく駐車場として運営するのは、月極契約など特定の個人や団体の利用者へ貸し出すことが一般的である。
【０００５】
近年では、予め会員登録を済ませた会員ユーザのみが駐車場の予約および利用が可能であるように、インターネットサイトにて予約するという、「特定多数」の利用者が利用できる駐車場の管理運営方法が普及している。この管理運営方法によれば、会員登録時にクレジットカード決済などを準備しているため、精算機やゲートなどの設備を設置することなく「空き時間活用駐車場」として運営が可能である。
【０００６】
（会員ユーザによる駐車場の予約手順）
駐車場を利用する駐車場ユーザは、必要に応じて、その場で空きのある駐車場へ駐車する場合の他、駐車場を予約することなどの各種サービスが付帯する会員登録をするユーザも増えている。
会員登録をしたユーザは、会員番号などを用いてインターネット経由で予約を済ませ、駐車場を予約日時に利用することができる。前述した「空き時間活用駐車場」の利用も可能となる場合もある。
【０００７】
「イベント」および「駐車場」というキーワードを用いて先行する特許を調査し、特許文献１および２を抽出した。
特許文献１には、混雑するイベントへユーザが向かっているとき、交通渋滞区域や駐車場を提示するとともに、行き先に関係のある広告主からは広告料を徴収する、といったシステムが開示されている。
特許文献２には、ユーザによって設定された目的地がイベント会場であるか否かを判定し、イベント会場であると判定されたとき、目的地周辺の第１範囲に存在する駐車場を除外して検索する、といった機能を備えた駐車場の検索技術が開示されている。
【先行技術文献】
【特許文献】
【０００８】
【特許文献１】特開２０１５−７９５３１号公報
【特許文献２】特開２０１６−２４１６６号公報
【発明の概要】
【発明が解決しようとする課題】
【０００９】
（イベントと駐車場の予約手順）
前述したように、イベント参加と、そのイベント会場への移動手段として自家用車を用いる場合の駐車場確保とを、それぞれ予約するには、図２に示すようにそれぞれ独立した手続を必要とする。
駐車場の確保には、駐車場の場所として前記のイベントとの関係で便利な場所に、確保したい日時で検索をしなければならない。
【００１０】
（複数の駐車場サイトへのアクセス）
前述したように、イベントの日時および場所に関して所望する駐車場（適合物件）がひとつ目にアクセスした駐車場予約サイトにて見つかり、予約が実行できれば、まだよい。
図３および図４に示すように、ひとつ目にアクセスした駐車場予約サイトにて見つからない場合、他の駐車場予約サイトへアクセスし、検索条件も再入力しなければならない。
【００１１】
図３および図４を用いて、更に詳しく説明する。
駐車場ユーザは、自らに係る端末を用いて、駐車場予約サーバＡへアクセスする。そして、イベント参加の開始時刻や終了時刻などを勘案し、駐車場の場所および駐車開始時刻、駐車終了時刻などの予約条件データを送信する。
駐車場予約サーバＡは、予約条件を受信し、駐車場データベースから適合する駐車場を検索し、適合物件として前記の端末へ提供する。
駐車場ユーザは、提供された適合物件のデータにて、希望する駐車場があれば、予約の意思表示や、駐車料金の支払い方法などを送信する。
【００１２】
図３の吹き出しや、図４のＳ７に示しているが、駐車場予約サーバＡに適合物件がない場合、他のサイト（駐車場予約サーバＢ，Ｃ）などへアクセスし、予約条件データなども再入力しなければならない。
一方、イベント開催者の立場から見ると、駐車場が円滑に確保できないことを理由に、イベントへの参加を断念する人も存在すると考えられる。
換言すれば、イベント開催者としては、イベントの開催とその参加者のための駐車場確保とをセットで考えなければ、機会損失をしている可能性が大である。
【００１３】
本発明が解決しようとする課題は、イベント予約とそのイベント参加のための駐車場予約とを一括で実行可能な情報処理の技術を提供することにある。
【課題を解決するための手段】
【００１４】
（第一の発明）
第一の発明は、イベントの参加予約およびそのイベント参加の際に用いる乗用車の駐車場の予約をシームレスに実行するためのイベント予約総合サーバに係る。
そのイベント予約総合サーバは、
当該イベントの開催場所に関わる駐車場における満空情報などの管理情報を蓄積する駐車場データベースへアクセス可能な駐車場ＤＢアクセス手段と、
イベントへの予約データをイベント参加希望者に係る端末から受信するイベント予約受信手段と、
その予約データが特定する日時および場所に適した駐車場を検索するための駐車場検索用データを抽出し、その駐車場検索用データに適合する駐車場を前記の駐車場データベースから抽出する検索手段と、
その検索手段が抽出した駐車場に関する適合物件データを前記のイベント参加希望者に係る端末へ送信する適合物件送信手段と、
その適合物件データを受信した端末から駐車場予約データを受信する駐車場予約データ受信手段と、を備える。
前記の駐車場ＤＢアクセス手段は、前記の駐車場予約データ受信手段が受信した駐車場予約データを駐車場データベースへ書き加えることとする。
【００１５】
（用語説明）
「イベント」とは、有償無償を問わず、所定の日時および場所（屋内、屋外を問わない）を特定して多数の人々に向けてエンターテイメント、ショッピングの場、不動産の見学、レストランのランチタイム利用など、日時および場所が特定されて提供されるサービスを指すこととする。
「イベントへの予約データ」には、イベント参加者の氏名、参加人数、参加するイベントが複数ある場合には参加するイベントの特定などが含まれる。
「駐車場ＤＢアクセス手段」とは、駐車場の管理情報を蓄積した駐車場データベースを本発明に係るイベント予約総合サーバ内に取り込んでいない場合には、その駐車場データベースからの情報を入手できる通信手段である（図５参照）。本発明に係るイベント予約総合サーバ内に取り込んでいる場合には、駐車場データベースと検索手段の間で接続されたケーブル等の手段である（図６参照）。
「駐車場」は、駐車場データベースへの登録ができていれば、「空き時間活用駐車場」も含めることが可能である。
【００１６】
（作用）
当該イベントの開催場所に関わる駐車場における満空情報などの管理情報を、駐車場データベースが蓄積している。
イベント参加希望者に係る端末からイベントへの予約データをイベント予約受信手段が受信する。  その予約データが特定する日時および場所に適した駐車場を検索するための駐車場検索用データを検索手段が抽出し、その駐車場検索用データに適合する駐車場を前記の駐車場データベースから抽出する。すなわち、イベントが特定されることで、場所および日時が特定されるので、その場所および日時から特定できる合理的な駐車場を検索する。
その検索手段が抽出した駐車場に関する適合物件データは、適合物件送信手段が前記のイベント参加希望者に係る端末へ送信する。
その適合物件データを受信した端末から駐車場予約データが送信されてきた場合、それを駐車場予約データ受信手段が受信する。
前記の駐車場ＤＢアクセス手段は、前記の駐車場予約データ受信手段が受信した駐車場予約データを駐車場データベースへ書き加える。
【００１７】
イベント参加希望者は、イベントの予約データを送信するのみで、そのイベントに出掛けていくための駐車場に関する情報を得ることができる。
【００１８】
（第一の発明のバリエーション１）
第一の発明における検索手段は、前記のイベント予約データにおける参加人数から必要な駐車台数を推定算出することとすれば、より好ましい。
たとえば、４人までであれば１台、７人なら２台、などである。なお、推定算出の結果はユーザ端末へ報知し、ユーザに認証または修正させることで予約台数を決定する。
【００１９】
（第一の発明のバリエーション２）
第一の発明における適合物件送信手段は、適合物件が複数存在する場合には、その複数の適合物件を所定の基準にて並べて出力するソート手段を含むこととすると、より好ましい。
「ソート手段」とは、図９に示すように、「駅に近い順」、「料金の安い順」などとして順位づけて出力させられる手段である。
【００２０】
（第一の発明のバリエーション３）
第一の発明は、以下のように形成してもよい。
すなわち、イベントに関係するサービスまたは商品に関する複数の広告データを予め蓄積する広告データベースと、
その広告データベースに蓄積された広告データの中から駐車場予約データを用いて最適な広告データを抽出する最適広告抽出手段と、
その最適広告抽出手段が抽出した広告データを前記の端末へ送信する広告データ出力手段と、
を備えることとしてもよい（図１１参照）。
【００２１】
（用語説明）
「最適広告抽出手段」とは、たとえば、駐車場の予約は１台であるがイベントのチケット予約は２枚であるとすれば、夫婦やカップルなどが推定できる。夫婦やカップルにとって好ましく、イベント会場に併設されたカフェの割引券を抽出し、電子クーポンとして送信するのである。
駐車場予約データにおける出庫予定時刻が、イベント終了時刻よりも２時間程度遅い、というような場合には、食事をしてから出庫する、と推定し、レストランのサービスチケットを抽出することとしてもよい。
【００２２】
（作用）
イベントに関係するサービスまたは商品に関する複数の広告データを広告データベースへ予め蓄積する。  その広告データベースに蓄積された広告データの中から駐車場予約データを用いて最適な広告データを、最適広告抽出手段が抽出する。  その最適広告抽出手段が抽出した広告データを、広告データ出力手段が前記の端末へ送信する。
【００２３】
（第二の発明）
第二の発明は、  イベントの参加予約およびそのイベント参加の際に用いる乗用車の駐車場の予約をシームレスに実行するためのイベント予約総合サーバを制御するコンピュータプログラムに係る。
すなわち、イベントへの予約データをイベント参加希望者に係る端末から受信するイベント予約受信手順と、
そのイベント予約受信手順にて受信した予約データが特定する日時および場所に適した駐車場を検索するための駐車場検索用データを抽出し、その駐車場検索用データに適合する駐車場を前記の駐車場データベースから抽出する検索手順と、
その検索手順にて抽出した駐車場に関する適合物件データを前記のイベント参加希望者に係る端末へ送信する適合物件送信手順と、
その適合物件データを受信した端末から駐車場予約データを受信する駐車場予約データ受信手順と、
その駐車場予約データ受信手順にて受信した駐車場予約データを駐車場データベースへ書き加える駐車データ書き換え手順と、
をイベント予約総合サーバに実行させる。
【００２４】
（第二の発明のバリエーション１）
第二の発明における検索手順には、前記のイベント予約データにおける参加人数から必要な駐車台数を推定算出する手順を含むこととすると、寄り好ましい。
【００２５】
（第二の発明のバリエーション２）
第二の発明における適合物件送信手順には、適合物件が複数存在する場合には、その複数の適合物件を所定の基準にて並べて出力するソート手順を含むこととすると、寄り好ましい。
【００２６】
（第二の発明のバリエーション３）
第二の発明は、以下のようにしてもよい。
すなわち、  前記のイベント予約総合サーバには、イベントに関係するサービスまたは商品に関する複数の広告データを予め蓄積する広告データベースを備える。
そして、その広告データベースに蓄積された広告データの中から駐車場予約データを用いて最適な広告データを抽出する最適広告抽出手順と、
その最適広告抽出手順にて抽出した広告データを前記の端末へ送信する広告データ出力手順と、
をイベント予約総合サーバに実行させることとしてもよい。
【００２７】
第二の発明に係るコンピュータプログラムを、記録媒体へ記憶させて提供することもできる。
ここで、「記録媒体」とは、それ自身では空間を占有し得ないプログラムを担持することができる媒体である。例えば、フレキシブルディスク、ハードディスク、ＣＤ−Ｒ、ＣＤ−ＲＷ、ＭＯ（光磁気ディスク）、ＤＶＤ−Ｒ、ＤＶＤ−ＲＷ、フラッシュメモリなどである。
また、この発明に係るプログラムを格納したコンピュータから、通信回線を通じて他の端末手段へ伝送することも可能である。
【００２８】
（第三の発明）
第三の発明は、イベントの参加予約およびそのイベント参加の際に用いる乗用車の駐車場の予約をシームレスに実行するためのイベント予約総合サーバと通信する通信端末に係る。
すなわち、イベントの参加意思および人数を含んだイベント予約データを前記のイベント予約総合サーバへ送信するイベント予約データ送信手段と、
そのイベント予約データ送信手段にて送信する際に用いたイベント予約データに係るイベントから推測される入庫予定時刻および出庫予定時刻を自動入力するとともに、その入庫予定時刻および出庫予定時刻の修正が可能な入出予定時刻入力手段と、
その入出予定時刻入力手段にて特定された入庫予定時刻および出庫予定時刻を用いて駐車場を検索または予約する駐車場予約データ送信手段と、
を備えた通信端末である（図７参照）。
【００２９】
（第四の発明）
第四の発明は、イベントの参加予約およびそのイベント参加の際に用いる乗用車の駐車場の予約をシームレスに実行するためのイベント予約総合サーバと通信する通信端末を制御するコンピュータプログラムに係る。
すなわち、イベントの参加意思および人数を含んだイベント予約データを前記のイベント予約総合サーバへ送信するイベント予約データ送信手順と、
そのイベント予約データ送信手順にて送信する際に用いたイベント予約データに係るイベントから推測される入庫予定時刻および出庫予定時刻を自動入力するとともに、その入庫予定時刻および出庫予定時刻の修正が可能な入出予定時刻入力手順と、
その入出予定時刻入力手順にて特定された入庫予定時刻および出庫予定時刻を用いて駐車場を検索または予約する駐車場予約データ送信手順と、
を前記の通信端末に実行させることとしたコンピュータプログラムである。（図７参照）。
【００３０】
第四の発明は、記録媒体へ記憶させて提供することもできるが、所定のサーバから通信端末へダウンロードさせることで提供されるのが一般的である。
一般的な通信端末に、第四の発明に係るコンピュータプログラムをダウンロードすれば、第三の発明となる。
【発明の効果】
【００３１】
第一の発明によれば、イベント予約とそのイベント参加のための駐車場予約とを一括で実行可能なイベント予約総合サーバを提供することができた。
第二の発明によれば、イベント予約とそのイベント参加のための駐車場予約とを一括で実行可能なイベント予約総合サーバ用のコンピュータプログラムを提供することができた。
第三の発明によれば、イベント予約とそのイベント参加のための駐車場予約とを一括で実行可能な通信端末を提供することができた。
第四の発明によれば、イベント予約とそのイベント参加のための駐車場予約とを一括で実行可能な通信端末用のコンピュータプログラムを提供することができた。
【図面の簡単な説明】
【００３２】
【図１】現状（本発明以前）のイベント予約を専用サイトで実施する場合を示す概念図である。
【図２】現状（本発明以前）のイベント予約および駐車場予約をそれぞれの専用サイトで実施する場合を示す概念図である。
【図３】現状（本発明以前）において、駐車場の予約サイトに複数アクセスしなければならない場合を示す概念図である。
【図４】駐車場の予約サイトに複数アクセスしなければならない場合を示すフローチャートである。
【図５】イベントと駐車場とを一括で予約できる本願発明に係る第一の実施形態の概要を示す概念図である。
【図６】イベントと駐車場とを一括で予約できる本願発明における主要部を示す概念図である。
【図７】イベントと駐車場とを一括で予約できるイベント総合予約アプリケーションの概要を示す概念図である。
【図８】イベント予約と複数の駐車場予約サイトを総合して駐車場データベースを構築した場合を示す概念図である。
【図９】駐車場の予約条件に対して適合する物件を、複数種類の基準にて順番にソートできる様子を示す概念図である。
【図１０】法人会員からの駐車場予約と、その予約条件データに基づく検索手段等のアルゴリズムの一例を示す概念図である。
【図１１】駐車場を予約したユーザに係る端末に対して、最適な広告データを送信する様子を示す概念図である。
【図１２】不動産の案内付き見学と駐車場とを一括で予約できるイベント総合予約アプリケーションの概要を示す概念図である。
【図１３】不動産の案内付き見学と駐車場とを一括で予約できる実施形態の主要部を示す概念図である。
【発明を実施するための形態】
【００３３】
以下、本発明を実施形態に基づいて説明する。ここで使用する図面は、図５から図１３である。
【００３４】
本実施形態において説明する駐車場を予約して利用するには、管理および運営上の都合から、まず会員登録を済まさなければならないこととしている。すなわち、以下の実施形態に示すサービスを受けることができる「駐車場ユーザ」は、全て会員登録を済ませていることとなる。
会員登録は、氏名や住所の他、利用料金の支払い口座などの会員データを予め登録する。その登録データは、会員データベースへ蓄積されるとともに、会員であることを認証するためのＩＤカードが発行される。このＩＤカードには、そのユーザが会員であることを認証するために必要なデータがＩＣチップへ格納されたＩＣカードである。
【００３５】
（図５）
まず、図５を用いて第一の実施形態について説明する。図中の括弧書きの数字は、主な手順を示す。
イベント予約統合サーバは、千葉県某所で開催される野外コンサートというイベントのチケット予約やその管理を実施する機能と、駐車場の予約やその管理を実施する機能とを備えている。
また、イベント予約統合サーバには、前述した会員データベース（図中ではデータベースを「ＤＢ」と略記している）、イベントチケットの発売済みや未販売などを管理するイベントチケットデータベースを備える。
イベント会場の近傍にある駐車場を含む多くの駐車場の管理を実行する駐車場データベースについては、このイベント予約統合サーバに備えるのではなく、駐車場データベースアクセス手段がアクセスし、検索や予約などの情報を仲介する。
【００３６】
会員ユーザは、自らに係る端末を用いて、会員登録に基づくＩＤや会員氏名、希望するイベントの種類（午後の部、夜の部の別）やＳ席、Ａ席といった席の種類や、人数などイベントチケット予約に必要なイベント予約データを送信する（１）。
そのイベント予約データを受信したイベント予約受信手段は、イベント予約データに基づいて、その希望に合致するチケットを、検索手段にてイベントチケットデータベースへアクセスして検索する。そして、その検索結果に基づいて、予約の可否などを予約か非送信手段にて、前記の端末へ返信する（２）。
【００３７】
会員ユーザは、予約か非送信手段にて提示された内容を選択するなどして、チケットの予約データを端末から送信する（３）。その予約データは予約データ受信手段が受信する。そして、その予約データは、イベントチケットデータベースにおけるチケット在庫データの書き換えに用いられる（４）。
また、会員データベースにアクセスし、その予約データと会員データとを紐付け、会員によるサービス利用履歴を追加するなどの処理をする（４）。
【００３８】
予約データは、イベントが開催される日時および場所というデータが含まれており、会員を含んだイベント参加人数というデータも含まれている。したがって、それらを用いて、その会員ユーザが自家用車にてイベント会場へ訪れる場合に提供できる駐車場を、検索手段にて検索する（４）。
その検索手段は、前述したように駐車場データベースアクセス手段を介して、駐車場を管理している駐車場管理データベースを検索し、適合する物件を抽出する。そして、抽出した適合物件に関するデータを、会員ユーザ（駐車場ユーザ）に係る端末へ送信する（５）。
【００３９】
イベント参加の際に自家用車でのアクセスを考えていた会員ユーザであれば、イベント予約総合サーバから提供された駐車場に関する適合物件を予約する旨の意思表示を送信する（６）。その意思表示は、駐車場予約データ受信手段が受信し、駐車場データベースアクセス手段を介して駐車場データベースへの予約を記録する。
会員ユーザとしては、自家用車でのアクセスにてイベントへ参加する場合に、イベント参加の予約と駐車場の予約とを一括で済ませることができる。特に、駐車場の予約時には入力が必須である場所および時間の入力を省略（または省力化）できる。
【００４０】
なお、イベントチケットは、いわゆる電子チケットとして、会員ユーザに係る端末へ送信することとするほか、会員データベースに記録されている会員住所へ物理的なチケットを郵送することとしても良い。
【００４１】
（図６）
図６は、図５において示した駐車場ユーザに係る端末およびイベント予約相当サーバにおいて、どのようなデータがやりとりされるかを、より詳細に示したものである。
なお、図６の場合には、駐車場データベースをイベント予約統合サーバに備えることとして図示している。この場合、前述した駐車場データベースアクセス手段は、検索手段と駐車場データベースとの通信が可能な有線ケーブルとなる。
【００４２】
駐車場ユーザに係る端末からは、イベント予約データとして、会員名（鈴木太郎）、日時（２０１６年１０月１５日・午後の部）、人数、というデータが送信される。
イベント予約受信手段は、イベントチケットデータベースには、鈴木太郎、ほか２名のチケットとして、１０月１５日午後の部を予約する旨、記録する。また、会員名およびそれに紐付けたサービス利用履歴を会員データベースへ記録させる。
【００４３】
検索手段では、イベント会場である千葉県某所という位置情報、会員が予約したイベント開催の日時、というデータを把握しており、さらに参加人数が３名であるから、必要な車の台数が１台であると推定し、そのデータに基づいて、駐車場データベースから適合物件を検索する。
なお、イベント（野外コンサート）が１３時から１６時である場合、イベント前後に余裕の時間が必要であると推定し、入庫予定時刻を１２：００、出庫予定時刻を１７：３０として検索する。ただし、この推定した入庫予定時刻および出庫予定時刻は、会員ユーザが修正して入力することは当然可能である。
【００４４】
さて、適合物件としてのイベント会場の最寄りの駐車場が、ＹＹ第三駐車場、ＤＤ第一駐車場というように複数見つかった場合には、会員ユーザが選択できるように、適合物件送信手段が送信する。
図６では図示を省略しているが、会員ユーザは、自らの端末を介して、駐車場の選択、入庫予定時刻および出庫予定時刻の修正を入力し、駐車場予約データとして返信する（図５における（６））。
【００４５】
（図７）
図７は、駐車場ユーザに係る端末における画面を中心とした説明をするための図である。
まず、駐車場ユーザは、イベント予約総合サーバ（に限る必要はないが）に用意されたイベント総合予約アプリケーションを、自らに係る端末へダウンロードしておく。
【００４６】
イベントへの参加予約をしたい場合には、イベント総合予約アプリケーションを起動させる。駐車場の予約に関する会員登録が済んでいない場合には、会員登録を促す。会員登録ボタンをクリックすると、会員登録に関する注意事項や会員登録に必要なデータ入力を実行する画面に移動する（図示を省略）。
【００４７】
会員登録が済んだ、あるいは予め会員となっているユーザは、会員番号を入力して送信する。そして、所望する野外コンサートに関するデータが表示され、チケット予約ボタンを押すと、予約データとしての氏名、人数などの入力画面となる（図示を省略）。
チケット予約が済んだら、駐車場の予約に関する適合物件の情報を受信できるので、駐車場を予約する場合には、入庫予定時刻および出庫予定時刻を送信する。前述したように、この入庫予定時刻および出庫予定時刻は、予め推定された時刻が入力されているので、会員ユーザが必要に応じて修正して送信すれば良い。
【００４８】
（図８）
図８に示すのは、図５に示した実施形態のバリエーションである。
図５に示した実施形態との相違点は、イベント予約総合サーバに駐車場データベースを備えている点、およびその駐車場データベースは、複数の駐車場予約サイト（Ａ，Ｂ，Ｃ，・・）から総合的に駐車場データを取得している点である。
この実施形態によれば、駐車場の適合物件を増やせるのみならず、駐車場を探して複数のサイトを渡り歩かなければならなかった状況（図３，図４にて説明）を改善できる。
【００４９】
（図９）
図９に示すのは、図５や図８に示した実施形態のバリエーションである。
図８に示した駐車場データベースは、恒常的に、複数の駐車場予約サイト（Ａ，Ｂ，Ｃ，・・）から総合的に駐車場データを取得していることを前提としているが、図９に示した実施形態では、期間限定にてＹＹ駐車場管理データベースおよびＤＤ駐車場管理データベースからのデータ収集を実行できる、といった場合を概念的に示している。ＹＹ駐車場管理データベースおよびＤＤ駐車場管理データベースからのデータ収集は、データ収集手段が実行する。
【００５０】
また、適合物件送信手段は、適合物件を複数抽出できた場合にソート手段を備えている。たとえば、「駅に近い順」、「料金が安い順」といった出力が可能であり、ユーザ端末からの操作によってもソートが可能である（５’）。
【００５１】
（図１０）
図１０では、イベント予約データに基づいて検索手段が推定するアルゴリズムのバリエーションを示している。
会員ユーザが法人であり、個人会員よりも多いイベントチケットを予約する場合を想定し、以下説明する。
【００５２】
会員ユーザは、ＥＦＧ株式会社という旅行代理店であり、旅行代理店として、２０名分のチケットを抑えたいとして予約条件データを送信する。
検索手段は、会員がＥＦＧ株式会社であり、２０名という数字や過去の記録から、ペアチケットとしての販売（転売）を予定している、と推定し、駐車場の予約台数を、１０台分として検索を実行する。そして、適合物件送信手段は、ＥＦＧ株式会社に係る端末に対して「ＥＦＧ株式会社様へ  １０月１５日の１２：００〜１７：３０を１０台分でよろしいですか？」と送信するのである。
【００５３】
ＥＦＧ株式会社が意図する駐車場の予約台数が異なっていれば、修正入力をして返信することで駐車場の予約を完了させることができる。
【００５４】
（図１１）
図１１は、イベントに関わるビジネスに関する広告を駐車場ユーザへ送信する仕組みについて説明するための概念図である。
この場合のイベント予約総合サーバには、広告データを蓄積する広告データベースを備える。加えて、その広告データベースに蓄積された広告データの中から、駐車場ユーザの会員属性、駐車場の予約状況などを勘案して最適な広告を抽出する最適広告抽出手段を備え、その最適広告抽出手段が抽出した広告データを、駐車場ユーザの端末へ送信するのである。
【００５５】
たとえば、イベント予約データには、会員の氏名のほか、予約人数というデータが含まれている。
会員の氏名が含まれていることにより、会員データベースに蓄積されている会員の過去のサービス利用履歴が活用できる。加えて、駐車場の入庫時刻および出庫時刻も入手できる。
これらのデータを用いて、たとえば、「この会員の参加人数が二人、イベント開始時刻よりも2時間も前に入庫する一方、イベント終了時刻からほどなく出庫予定である。」という、行動予定が把握できる。
これにより、イベント開始前に軽い食事を促すため、「チケットの提示でカフェ500円引き」といったカフェの割引券、およびイベント終了後のちょっとした買い物を促すために「チケットの半券でシングルＣＤ半額」というＣＤショップの割引券を、電子クーポンとして会員ユーザに係る端末へ送信するのである。
【００５６】
以上のような広告データは、イベントチケットデータベース、会員データベース、駐車場データベースといったデータを総合的に組み合わせることで、提供可能である。
換言すれば、イベントチケットデータベース、会員データベース、駐車場データベースといったデータを総合的に組み合わせることで、販売促進が期待できるビジネス、たとえば、イベント会場の近傍の飲食業、販売業などには、有益である。
また、上記データを総合的に用いることを前提として、特設ブースなどによる限定品の販売などを予測することも有益である。
【００５７】
イベント会場の運営者や、前記の最寄り駅、至便駅に係る交通機関でのサービスを提供している組織としては、そのイベントにおける集客がどの程度であり、自らのサービスに関係の深いユーザがどのくらい訪れたのか、といった結果データを取得することも可能である。
加えて、限定品の販売や限定サービスが提供されるという特設イベントにおいて、イベント運営会社やその関係者が、そのイベントにおける購買品などのデータを取得したい、ということに対しても寄与する。
【００５８】
イベント会場に近い駐車場付きの飲食店の駐車場、臨時の駐車場として使用可能な土地などについて、特設イベントの開催期間中に空き時間活用駐車場として使えるように、駐車場データベースへ登録しておく。
登録された空き時間活用駐車場は、会員ユーザが予約可能となる。
【００５９】
イベントの運営会社、飲食店などが、どのような広告（優待サービス）を提供するのか、優待サービスが使われたことによってどのような効果があったのか、ということについて、優待サービスの実現のための原資を、合理的に算出し、イベント運営会社、飲食店、駐車場の管理者にて負担することが望まれる。
前記の飲食店などにおいては、特設イベント会場において飲食の割引チケットを配布する、という働きかけを、物理的な紙のチケットを用いることなく、優待サービスとして提供できる。
【００６０】
（図１２および図１３）
図１２および図１３には、不動産案内総合サーバと駐車場ユーザに係る端末との情報のやり取りを示す概念図を示す。
不動産屋業者による不動産の現地案内をしてもらう見学を予約し、その不動産屋業者の営業所までは自家用車で出掛けていくために、不動産業者の最寄り駐車場を予約することも一括で実行できる、というものである。
【００６１】
現地案内に付きそうことができるスタッフの数は限られているため、「予約」をすることが望ましい。そのため、不動産物件および担当者のスケジュールを記録した不動産物件および担当者データベースへ駐車場ユーザに係る端末を用いて、見学予約のボタンをクリックしてアクセスし、予約データとして氏名や日時、見学したい不動産を特定する。
【００６２】
駐車場予約に関しては、不動産見学の希望日時が決まっており、見学する不動産の場所も決まっているので、不動産業者の営業所からの移動時間、見学に要する時間などを不動産案内総合サーバ側で自動算出し、駐車場ユーザに係る端末へ表示する（図１３参照）。
【００６３】
なお、本実施形態においても、駐車場の予約が必要なので、会員登録をしている駐車場ユーザであることを前提としている。
また、不動産業者として自社への顧客囲い込みのため、駐車場ユーザとしてはデータ入力などに関する利便性のため、「現地案内予約アプリケーション」という専用アプリケーションを駐車場ユーザに係る端末へ予めダウンロードしてから実行することを前提としている（図１２参照）。
【００６４】
（レストラン等と駐車場）
図示は省略するが、レストランなどの飲食サービスにおいても、その予約サイトにおいて、レストランの予約と駐車場の予約とを一括で行えるようにすることも、当然可能である。レストラン側が予め確保できる駐車スペースに限りがある場合に有効である。
【産業上の利用可能性】
【００６５】
本発明は、イベント企画業、イベント運営管理業、駐車場を管理運営するサービス業、駐車場の管理運営を実現するためのサポートをする情報通信サービス業、駐車場の管理運営のためのコンピュータソフトウェアを作成するソフトウェア産業、カードクレジット業、旅行代理店業などにおいて利用可能性を有する。
【図１】
2018077655.tif 000003
【図２】
2018077655.tif 000004
【図３】
2018077655.tif 000005
【図４】
2018077655.tif 000006
【図５】
2018077655.tif 000007
【図６】
2018077655.tif 000008
【図７】
2018077655.tif 000009
【図８】
2018077655.tif 000010
【図９】
2018077655.tif 000011
【図１０】
2018077655.tif 000012
【図１１】
2018077655.tif 000013
【図１２】
2018077655.tif 000014
【図１３】
2018077655.tif 000015